(57)【要約】【課題】発光素子が設けられる基板と該基板に対向する基板との間における画素間での発光の混入を防ぐ。【解決手段】第１の基板上に配設された複数の発光素子と、上記各発光素子に対応する画素領域の境界部分に配置され、上記第１の基板と上記第１の基板に対向する第２の基板との間で上記各発光素子の発光を上記各発光素子の主発光方向に導光するガイド部材とを含む表示装置が提供される。【選択図】図５
2014127441.tif 000002
【特許請求の範囲】
【請求項１】
第１の基板上に配設された複数の発光素子と、
前記各発光素子に対応する画素領域の境界部分に配置され、前記第１の基板と前記第１の基板に対向する第２の基板との間で前記各発光素子の発光を前記各発光素子の主発光方向に導光するガイド部材と
を備える表示装置。
【請求項２】
前記第２の基板上で前記画素領域に配設されるカラーフィルタをさらに備え、
前記ガイド部材は、少なくとも前記カラーフィルタと前記第１の基板との間で前記発光を導光する、請求項１に記載の表示装置。
【請求項３】
前記ガイド部材は、前記カラーフィルタを貫通して前記第２の基板の表面に当接する、請求項２に記載の表示装置。
【請求項４】
前記ガイド部材は、前記カラーフィルタの前記第１の基板側の表面に当接する、請求項２に記載の表示装置。
【請求項５】
前記ガイド部材は、前記カラーフィルタを貫通して前記第２の基板に貫入する、請求項２に記載の表示装置。
【請求項６】
前記第１の基板上に設けられる前記複数の発光素子の保護層をさらに備え、
前記ガイド部材は、前記保護層に当接する、請求項１に記載の表示装置。
【請求項７】
前記保護層と前記第２の基板との間に介在する接着層をさらに備え、
前記ガイド部材は、前記接着層を貫通する、請求項６に記載の表示装置。
【請求項８】
前記第１の基板上に設けられる前記複数の発光素子の保護層と、
前記保護層と前記第２の基板との間に介在する接着層とをさらに備え、
前記ガイド部材は、前記接着層に貫入する、請求項１に記載の表示装置。
【請求項９】
前記ガイド部材の断面は、前記第１の基板側に向かって開いたテーパ形状を有する、請求項１に記載の表示装置。
【請求項１０】
前記ガイド部材の断面は、前記第２の基板側に向かって開いたテーパ形状を有する、請求項１に記載の表示装置。
【請求項１１】
第１の基板上に配設される複数の発光素子のそれぞれに対応する画素領域の境界部分に配置され、前記第１の基板と前記第１の基板に対向する第２の基板との間で前記各発光素子の発光を前記各発光素子の主発光方向に導光するガイド部材を、前記第１の基板上または前記第２の基板上に設置する工程と、
前記第１の基板と前記第２の基板とを接合する工程と
を含む、表示装置の製造方法。
【請求項１２】
前記第２の基板上で前記画素領域にカラーフィルタを配設する工程をさらに含む、請求項１１に記載の表示装置の製造方法。
【請求項１３】
前記ガイド部材は前記第２の基板上に設置され、
前記ガイド部材を設置する工程は、前記カラーフィルタを配設する工程よりも前に実行される、請求項１２に記載の表示装置の製造方法。
【請求項１４】
前記第２の基板に前記ガイド部材が貫入する溝を刻設する工程をさらに含む、請求項１３に記載の表示装置の製造方法。
【請求項１５】
前記ガイド部材は前記第２の基板上に設置され、
前記ガイド部材を設置する工程は、前記カラーフィルタを配設する工程よりも後に実行される、請求項１２に記載の表示装置の製造方法。
【請求項１６】
前記ガイド部材は前記第２の基板上に設置され、
前記第１の基板と前記第２の基板とを接合する工程では、前記ガイド部材が前記第１の基板上に設けられる前記複数の発光素子の保護層に当接する、請求項１１に記載の表示装置の製造方法。
【請求項１７】
前記第１の基板と前記第２の基板とを接合する工程では、前記第１の基板と前記第２の基板とが接着層を介して接合され、前記ガイド部材が前記接着層を貫通する、請求項１６に記載の表示装置の製造方法。
【請求項１８】
前記第１の基板と前記第２の基板とを接合する工程では、前記第１の基板と前記第２の基板とが接着層を介して接合され、前記ガイド部材が前記接着層に部分的に貫入する、請求項１１に記載の表示装置の製造方法。
【請求項１９】
第１の基板上に配設された複数の発光素子と、
前記各発光素子に対応する画素領域の境界部分に配置され、前記第１の基板と前記第１の基板に対向する第２の基板との間で前記各発光素子の発光を前記各発光素子の主発光方向に導光するガイド部材と
を含む表示装置
を備える電子機器。
【発明の詳細な説明】
【技術分野】
【０００１】
本開示は、表示装置、表示装置の製造方法および電子機器に関し、特に、発光素子を備える表示装置に関する。
【背景技術】
【０００２】
例えば有機ＥＬ（Electro  Luminescence）、無機ＥＬなどの発光素子を用いたトップエミッション型の表示装置では、発光素子が配設される素子基板と、素子基板に対向する封止基板とが設けられ、発光素子の発光は透明な封止基板を透過して観察される。例えば発光素子が白色発光である場合には、各発光素子からの発光が封止基板に設けられたカラーフィルタを通過することによって各画素の色の光として観察される。また、発光素子が赤、緑、青など各画素の色で発光する場合も、色純度の向上のためにカラーフィルタが使用される場合がある。
【０００３】
上記の封止基板（カラーフィルタ基板ともいう）には、コントラストを向上させるため、各画素領域の境界にあたる位置にブラックマトリクスと呼ばれる遮光部材が設けられる。ブラックマトリクスに関する技術は、例えば特許文献１に記載されている。特許文献１の技術では、カラーフィルタの透過領域とブラックマトリクスの領域との境界で生じる光の回折現象を抑制するために、透過領域に光学的濃度の勾配が設けられる。
【先行技術文献】
【特許文献】
【０００４】
【特許文献１】特開２０１０−００８８６１号公報
【発明の概要】
【発明が解決しようとする課題】
【０００５】
ところが、ブラックマトリクスが設けられる封止基板と素子基板とは、別々に用意されて接着されるため、これらの基板の間にはある程度の距離が生じる。その上、発光素子からの発光は、主発光方向（すなわち、素子基板に対して垂直な方向）以外にも向かうため、素子基板と封止基板との間の部分で、ある画素の発光素子からの発光が隣接する他の画素に混入してしまう場合があった。
【０００６】
そこで、本開示では、発光素子が設けられる基板と該基板に対向する基板との間における画素間での発光の混入を防ぐことが可能な、新規かつ改良された表示装置、表示装置の製造方法および電子機器を提案する。
【課題を解決するための手段】
【０００７】
本開示によれば、第１の基板上に配設された複数の発光素子と、上記各発光素子に対応する画素領域の境界部分に配置され、上記第１の基板と上記第１の基板に対向する第２の基板との間で上記各発光素子の発光を上記各発光素子の主発光方向に導光するガイド部材とを含む表示装置が提供される。
【０００８】
また、本開示によれば、第１の基板上に配設される複数の発光素子のそれぞれに対応する画素領域の境界部分に配置され、上記第１の基板と上記第１の基板に対向する第２の基板との間で上記各発光素子の発光を上記各発光素子の主発光方向に導光するガイド部材を上記第２の基板に設置する工程と、上記第２の基板と、上記複数の発光素子が配設された上記第１の基板とを接合する工程とを含む、表示装置の製造方法が提供される。
【０００９】
また、本開示によれば、第１の基板上に配設された複数の発光素子と、上記各発光素子に対応する画素領域の境界部分に配置され、上記第１の基板と上記第１の基板に対向する第２の基板との間で上記各発光素子の発光を上記各発光素子の主発光方向に導光するガイド部材とを含む表示装置を有する電子機器が提供される。
【００１０】
第１の基板と第２の基板との間で発光素子の発光を導光するガイド部材が設けられることによって、基板の間にある程度の距離が生じる場合であっても、主発光方向以外に向かう発光素子の発光が隣接する他の画素に混入することが防止される。
【発明の効果】
【００１１】
以上説明したように本開示によれば、発光素子が設けられる基板と該基板に対向する基板との間における画素間での発光の混入を防ぐことができる。
【図面の簡単な説明】
【００１２】
【図１】本開示の関連技術に係る表示装置の構成の例を示す図である。
【図２】有機ＥＬディスプレイに設けられる画素駆動回路の構成例を示す図である。
【図３】有機ＥＬディスプレイにおける表示領域の平面構成の例を示す図である。
【図４】図３のＩ−Ｉ断面図によって表示領域の断面構成の例を示す図である。
【図５】本開示の第１の実施形態に係る表示装置における表示領域の断面構成の例を示す図である。
【図６】図５に示す表示領域の平面構成の例を示す図である。
【図７】本開示の第１の実施形態に係る表示装置の製造方法の各工程での表示装置の状態を示す図である。
【図８】本開示の第１の実施形態に係る電子機器の構成を示す概略的なブロック図である。
【図９】本開示の第１の実施形態の変形例について説明するための図である。
【図１０】本開示の第１の実施形態の変形例について説明するための図である。
【図１１Ａ】本開示の第１の実施形態の変形例について説明するための図である。
【図１１Ｂ】図１１Ａに示した表示装置の製造方法の各工程での表示装置の状態を示す図である。
【図１１Ｃ】図１１Ａに示した例の代替的な構成例を示す図である。
【図１２】本開示の第１の実施形態の変形例について説明するための図である。
【図１３】本開示の第１の実施形態の変形例について説明するための図である。
【図１４】本開示の第１の実施形態の変形例について説明するための図である。
【図１５】本開示の第２の実施形態に係る表示装置における表示領域の断面構成の例を示す図である。
【図１６】本開示の第２の実施形態に係る表示装置の第１の製造方法の各工程での表示装置の状態を示す図である。
【図１７】本開示の第２の実施形態に係る表示装置の第２の製造方法の各工程での表示装置の状態を示す図である。
【図１８】本開示の第２の実施形態の変形例について説明するための図である。
【図１９】本開示の第３の実施形態に係る表示装置における表示領域の断面構成の例を示す図である。
【図２０】本開示の第３の実施形態に係る表示装置の製造方法の各工程での表示装置の状態を示す図である。
【図２１】本開示の第３の実施形態の変形例について説明するための図である。
【発明を実施するための形態】
【００１３】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１４】
なお、説明は以下の順序で行うものとする。
１．関連技術の説明
２．第１の実施形態
２−１．表示装置の構成
２−２．表示装置の製造方法
２−３．電子機器への適用
２−４．変形例
３．第２の実施形態
３−１．表示装置の構成
３−２．表示装置の製造方法
３−３．変形例
４．第３の実施形態
４−１．表示装置の構成
４−２．表示装置の製造方法
４−３．変形例
５．補足
【００１５】
（１．関連技術の説明）
本開示の実施形態のよりよい理解のために、まず、図１〜図４を参照して関連する技術について説明する。
【００１６】
（全体構成）
図１は、本開示の関連技術に係る表示装置の構成の例を示す図である。本開示の関連技術に係る表示装置は、有機ＥＬディスプレイ１０である。
【００１７】
図１を参照すると、有機ＥＬディスプレイ１０は、素子基板２０上に、赤色発光素子３２Ｒ、緑色発光素子３２Ｇ、および青色発光素子３２Ｂがマトリクス状に配列された表示領域３０を有する。一組の赤色発光素子３２Ｒ、緑色発光素子３２Ｇ、および青色発光素子３２Ｂによって、画素３２が構成される。表示領域３０の周辺には、映像表示用のドライバとして、信号線駆動回路４０および走査線駆動回路５０が設けられる。
【００１８】
また、表示領域３０には、赤色発光素子３２Ｒ、緑色発光素子３２Ｇ、および青色発光素子３２Ｂにそれぞれ接続される画素駆動回路６０が設けられる。この画素駆動回路６０の構成について、以下で図２を参照してさらに説明する。
【００１９】
（画素駆動回路の構成）
図２は、有機ＥＬディスプレイ１０に設けられる画素駆動回路６０の構成例を示す図である。本実施形態において、画素駆動回路６０は、後述する発光素子の下部電極の仮想に形成されるアクティブ型の駆動回路である。
【００２０】
図２を参照すると、画素駆動回路６０には、駆動トランジスタＴｒ１および書き込みトランジスタＴｒ２が設けられ、駆動トランジスタＴｒ１と書き込みトランジスタＴｒ２との間にはキャパシタＣｓが接続される。赤色発光素子３２Ｒ、緑色発光素子３２Ｇ、または青色発光素子３２Ｂは、第１の電源ラインＶｃｃと第２の電源ラインＧＮＤとの間で駆動トランジスタＴｒ１に直列に接続される。
【００２１】
ここで、駆動トランジスタＴｒ１および書き込みトランジスタＴｒ２は、一般的な薄膜トランジスタ（ＴＦＴ：Thin  Film  Transistor）である。ＴＦＴの構造としては、例えば逆スタガ構造（ボトムゲート型）、またはスタガ構造（トップゲート型）など、各種の構造が用いられうる。
【００２２】
また、画素駆動回路６０では、列方向の信号線４０Ａと行方向の走査線５０Ａとが、それぞれ複数配列される。信号線４０Ａと走査線５０Ａとの交点は、それぞれが赤色発光素子３２Ｒ、緑色発光素子３２Ｇ、または青色発光素子３２Ｂのいずれかに対応する。それぞれの信号線４０Ａは上記の信号線駆動回路４０に接続され、信号線駆動回路４０は信号線４０Ａを介して書き込みトランジスタＴｒ２のソース電極に画像信号を供給する。同様に、それぞれの走査線５０Ａは上記の走査線駆動回路５０に接続され、走査線駆動回路５０は走査線５０Ａを介して書き込みトランジスタＴｒ２のゲート電極に走査信号を順次供給する。
【００２３】
（表示領域の構成）
図３は、有機ＥＬディスプレイ１０における表示領域３０の平面構成の例を示す図である。図４は、図３のＩ−Ｉ断面図によって表示領域３０の断面構成の例を示す図である。図３に示すように、表示領域３０には、赤色発光素子３２Ｒ、緑色発光素子３２Ｇ、および青色発光素子３２Ｂがマトリクス状に配列される。一組の赤色発光素子３２Ｒ、緑色発光素子３２Ｇ、および青色発光素子３２Ｂは、画素３２を構成する。
【００２４】
図４に示すように、有機ＥＬディスプレイ１０の表示領域３０では、素子基板２０と封止基板２３とが接着層２６を介して貼り合わされている。素子基板２０上には複数の発光素子２１が配設され、発光素子２１は保護層２２によって覆われている。一方、封止基板２３側にはカラーフィルタ２４（赤色カラーフィルタ２４Ｒ、緑色カラーフィルタ２４Ｇ、および青色カラーフィルタ２４Ｂ）が配設され、各色のカラーフィルタ２４の境界部分にはブラックマトリクス２５が設けられる。接着層２６は、保護層２２とカラーフィルタ２４との間に位置する。以下、それぞれの構成要素について説明する。
【００２５】
素子基板２０は、平坦面を有する支持体である。素子基板２０としては、例えば金属箔、または樹脂製のフィルムやシートなどが用いられる。有機ＥＬディスプレイ１０は、封止基板２３側から発光素子の光を取り出すトップエミッション型の表示装置であるため、素子基板２０は必ずしも透明でなくてよい。図示していないが、素子基板２０上には、上記で図２を参照して説明した画素駆動回路６０が形成されるＴＦＴ層や、ＴＦＴ層の表面を平坦化するための平坦化膜などが設けられうる。
【００２６】
発光素子２１は、所定の波長範囲に少なくとも１つのピーク波長を有する発光材料に電圧を印加することによって、例えば白色、赤色、緑色、または青色などに発光する。発光素子２１は、発光材料層と、発光材料層に電圧を印加するための下部電極および上部電極とを含む。下部電極は、例えばアルミニウム合金などで形成され、素子基板２０上に形成された画素駆動回路に接続される。上部電極は、例えばＩＺＯ（Indium  Zinc  Oxide）などの透明電極材料で形成される。発光材料層の上下には、正孔注入層、正孔輸送層、電子輸送層、電子注入層などが積層されうる。なお、図では各発光素子が独立して形成されているが、下部電極と発光材料層以外の層については、各発光素子に共通して形成されてもよい。
【００２７】
保護層２２は、例えば無機アモルファス系の絶縁性材料で形成され、発光素子２１を覆って素子基板２０上の全面に形成される。保護層２２は、例えば絶縁性や非透水性などを有することによって、発光素子２１を保護する。なお、保護層２２は必ずしも設けられなくてもよく、発光素子２１（上部電極）の上に接着層２６が位置してもよい。
【００２８】
封止基板２３（透明基板）は、ガラスなどで形成され、表示領域３０に形成された積層構造を封止する。封止基板２３上の、各発光素子２１に対応する画素領域には、各画素の色のカラーフィルタ２４（赤色カラーフィルタ２４Ｒ、緑色カラーフィルタ２４Ｇ、および青色カラーフィルタ２４Ｂ）が配設される。また、各色のカラーフィルタの境界部分にはブラックマトリクス２５が設けられる。
【００２９】
ここで、ブラックマトリクス２５は、各色のカラーフィルタ２４の境界領域を遮光し、表示される画像のコントラストを向上させる。ブラックマトリクス２５は、例えばチタン、窒化チタン、タンタル、窒化タンタル、タングステンなどの遮光性の金属、または炭素などの黒色顔料を含んだ樹脂の膜によって形成される。上記の金属よりも可視光の反射率は低いものの、アルミニウムや銅などを用いることも可能である。また、金属層は、例えば上記の各材料の積層膜として形成されてもよい。ブラックマトリクス２５の厚さは、図示されているようにカラーフィルタ２４よりも薄いか、カラーフィルタ２４と同程度である。
【００３０】
接着層２６は、熱硬化性樹脂または紫外線硬化性樹脂などによって形成され、素子基板２０と封止基板２３との間に介在してこれらの基板を接着する。
【００３１】
上記のような有機ＥＬディスプレイ１０では、素子基板２０と封止基板２３とが別々に提供されて接着されるため、これらの基板の間にはある程度の距離、具体的には少なくとも接着層２６の厚さ分の距離が生じる。ここで、発光素子２１から放出された光は、主発光方向、つまり素子基板２０に対して垂直な方向だけではなく、図示されているように素子基板２０に対して斜めの方向にも向かう。接着層２６は光を透過するため、斜めの方向に放出された光は画素領域の境界を越え、隣接する他の画素領域に混入してしまう。本来の画素の光ではない光が混入すると、当然ながら画素によって表示される画像の画質は低下する。
【００３２】
そこで、以下に説明する本開示のいくつかの実施形態では、上記のような画素間での発光の混入を防ぐための構成を提案する。なお、以下で説明する実施形態は、全体構成、画素駆動回路の構成、および表示領域の平面構成については、上記の関連技術と同様の構成とすることが可能であるため、詳細な説明を省略する。また、表示領域の断面構成についても、上記の関連技術と同様である部分については共通の符号を付することによって、詳細な説明を省略する場合がある。
【００３３】
（２．第１の実施形態）
まず、本開示の第１の実施形態について説明する。
【００３４】
（２−１．表示装置の構成）
図５は、本開示の第１の実施形態に係る表示装置における表示領域の断面構成の例を示す図である。本実施形態に係る表示装置は、有機ＥＬディスプレイ１００である。
【００３５】
有機ＥＬディスプレイ１００の表示領域では、素子基板２０と封止基板２３とが接着層２６を介して貼り合わされている。素子基板２０上には複数の発光素子２１が配設され、発光素子２１は保護層２２によって覆われている。一方、封止基板２３側にはカラーフィルタ２４（赤色カラーフィルタ２４Ｒ、緑色カラーフィルタ２４Ｇ、および青色カラーフィルタ２４Ｂ）が配設される。
【００３６】
さらに、各色のカラーフィルタ２４の境界部分には、ガイド部材１１０が設けられる。ガイド部材１１０は、一方ではカラーフィルタ２４を貫通して封止基板２３の表面に当接しており、他方では接着層２６を貫通して素子基板２０上の保護層２２に当接している。ガイド部材１１０は、例えば上述したブラックマトリクス２５と同様に金属または樹脂の膜などによって形成される遮光性の部材である。
【００３７】
かかるガイド部材１１０が封止基板２３と素子基板２０との間、より詳しくはカラーフィルタ２４と保護層２２との間の接着層２６の領域に存在することによって、発光素子２１から放出された光が、主発光方向に導光される。つまり、発光素子２１から放出されて、素子基板２０に対して斜めの方向に向かった光も、ガイド部材１１０の表面で反射することによって、結果的に主発光方向、すなわち素子基板２０に対して垂直な方向に向かい、隣接する他の画素領域に混入することが防止される。
【００３８】
ここで、図示された例において、ガイド部材１１０の断面は、素子基板２０側に向かって開いたテーパ形状を有する。これによって、発光素子２１による発光をより多く集光し、封止基板２３の所定の領域（画素領域）に導光することができる。封止基板２３側でのガイド部材１１０の領域は、例えば上述のブラックマトリクス２５と同様の領域であってもよい。ガイド部材１１０は、上記のように遮光性の部材であるため、発光を導光するとともに封止基板２３側ではブラックマトリクスとしても機能する。あるいは、ガイド部材１１０とは別にブラックマトリクスが設けられてもよい。
【００３９】
図６は、図５に示す表示領域の平面構成の例を示す図である。図６を参照すると、ガイド部材１１０は、各色のカラーフィルタ２４、つまり各色の画素領域を囲むように配置されている。このような配置によって、各画素領域の全域で、隣接する他の画素領域からの発光の混入を防ぐことができる。なお、本開示の実施形態において、ガイド部材１１０は必ずしも各画素領域の全周を囲む必要はない。例えば、図示された例のようなストライプ型の画素配置の場合、各画素領域の長辺側に限ってガイド部材１１０を配置し、短辺側については通常のブラックマトリクスを配置してもよい。これは、長辺側の方が画素の間隔が狭く、発光の混入の影響が大きいと考えられるためである。
【００４０】
（２−２．表示装置の製造方法）
図７は、本開示の第１の実施形態に係る表示装置の製造方法の各工程での表示装置の状態を示す図である。図７を参照すると、まず封止基板２３上にガイド部材１１０が形成される。ガイド部材１１０は、例えば材料を封止基板２３上に塗布した後、フォトリソグラフィを利用してパターニングすることによって形成されうる。なお、ガイド部材１１０とは別にブラックマトリクスが設けられる場合は、ガイド部材１１０の形成よりも前にブラックマトリクスが形成されうる。ブラックマトリクスも、例えば材料を封止基板２３上に塗布した後、フォトリソグラフィを利用してパターニングすることによって形成されうる。なお、当業者には明らかであるように、本明細書において塗布によって形成されると説明されているガイド部材およびブラックマトリクスは、例えばＣＶＤ（Chemical  Vapor  Deposition）やスパッタ法など公知の他の工程によって形成することも可能である。また、カラーフィルタは、一般的には塗布のほか印刷などによって形成されうる。
【００４１】
次に、ガイド部材１１０によって囲まれた領域（上記のように、必ずしも全周が囲まれていなくてもよい）の中に、各色のカラーフィルタ２４が形成される。カラーフィルタ２４は、例えばインクジェット法によって形成されうる。ガイド部材１１０はカラーフィルタ２４よりも厚いため、この時点でガイド部材１１０がカラーフィルタ２４の間から突出した状態になる。
【００４２】
一方で、素子基板２０上に発光素子２１および保護層２２が形成されたものが別途用意され、これらの２つの基板（基板上に形成された部材を含む）は接着層２６を介して接合される。このとき、カラーフィルタ２４の間から突出したガイド部材１１０は、接着層２６を貫通し、保護層２２に当接する。その後、接着層２６を硬化させることによって、有機ＥＬディスプレイ１００が完成する。なお、図示された例では、素子基板２０側に接着層２６が塗布されているが、接着層２６は封止基板２３側に塗布されてもよい。
【００４３】
（２−３．電子機器への適用）
次に、図８を参照して、本開示の第１の実施形態に係る表示装置を有する電子機器の構成について説明する。図８は、本開示の第１の実施形態に係る電子機器の構成を示す概略的なブロック図である。
【００４４】
図８を参照すると、電子機器１０００は、有機ＥＬディスプレイ１００、制御回路５００、操作部６００、記憶部７００、および通信部８００を含む。電子機器１０００は、例えば、テレビジョン、携帯電話（スマートフォン）、デジタルカメラ、パーソナルコンピュータなど、表示部として有機ＥＬディスプレイ１００を有する何らかの機器である。
【００４５】
制御回路５００は、例えばＣＰＵ（Central  Processing  Unit）、ＲＡＭ（Random  Access  Memory）、およびＲＯＭ（Read  Only  Memory）などによって構成され、電子機器１０００の各部を制御する。有機ＥＬディスプレイ１００も、この制御回路５００によって制御される。
【００４６】
操作部６００は、例えばタッチパッド、ボタン、キーボード、またはマウスなどによって構成され、電子機器１０００に対するユーザの操作入力を受け付ける。制御回路５００は、操作部６００が取得した操作入力に従って電子機器１０００を制御する。
【００４７】
記憶部７００は、例えば半導体メモリ、磁気ディスク、または光ディスクなどによって構成され、電子機器１０００が機能するために必要な各種のデータを格納する。制御回路５００は、記憶部７００に格納されたプログラムを読み出して実行することによって動作してもよい。
【００４８】
通信部８００は、付加的に設けられる。通信部８００は、有線または無線のネットワーク９００に接続される通信インターフェースであり、例えばモデムやポート、またはアンテナなどによって構成される。制御回路５００は、通信部８００を介して、ネットワーク９００からデータを受信し、またネットワーク９００にデータを送信する。
【００４９】
上記で説明した有機ＥＬディスプレイ１００だけではなく、これを有する電子機器１０００もまた、本開示の実施形態に含まれる。
【００５０】
（２−４．変形例）
以上で説明した本開示の第１の実施形態の変形例について、図９〜図１４を参照して説明する。なお、製造方法や電子機器への適用については、上記で説明した本実施形態の構成を各変形例にも適用することが可能である。
【００５１】
図９は、テーパ形状を有さないストレートな断面形状を有するガイド部材１１２を有する有機ＥＬディスプレイ１０２の例を示す図である。ガイド部材１１２の平面領域は、封止基板２３から保護層２２までほぼ同一である。この場合、上記の図５の例と比べて、集光される発光はいくらか少なくなるものの、ガイド部材１１２の断面形状が単純になることによって、ガイド部材１１２を形成するときの加工が容易になりうる。
【００５２】
図１０は、断面が封止基板２３側に向かって開いたテーパ形状を有するガイド部材１１４を有する有機ＥＬディスプレイ１０４の例を示す図である。ガイド部材１１４の断面は、図５の例に示したガイド部材１１０とは逆向きのテーパ形状を有する。この場合、集光される発光は少なくなるものの、ガイド部材１１４の表面で反射した光がより広い範囲に分散することで、表示される画像を視認可能な角度範囲が広くなる。つまり、有機ＥＬディスプレイ１００がより広い指向性をもつようになる。
【００５３】
図１１Ａ〜図１１Ｃは、素子基板２０と封止基板２３とが接着層２６を介さずに接合される有機ＥＬディスプレイ１０６の例を示す図である。図１１Ａに示した例の場合、ガイド部材１１０の間、つまりカラーフィルタ２４と保護層２２との間にあたる空間に透明絶縁膜２７が形成され、ガイド部材１１０と透明絶縁膜２７とによって形成される面が、保護層２２に直接接合される。接着層２６が介在しないことによって、例えば加熱や紫外線の照射を伴う接着層２６の硬化の工程による他の部材への影響を防ぐことができうる。なお、ガイド部材１１０は、上記の図９および図１０の例に示したガイド部材１１２またはガイド部材１１４によって代替されてもよい。
【００５４】
図１１Ｂは、図１１Ａに示した有機ＥＬディスプレイの製造方法の各工程での状態を示す図である。図１１Ｂを参照すると、封止基板２３上にガイド部材１１０が形成され、ガイド部材１１０によって囲まれた領域に各色のカラーフィルタ２４が形成された後（これらの工程については、図７に示した製造方法と同様であるため詳細な説明は省略する）、ガイド部材１１０の間に透明絶縁膜２７が形成される。さらに、ガイド部材１１０と透明絶縁膜２７とによって形成される面をＣＭＰ（Chemical  Mechanical  Polishing）で研磨するなどして平滑化した上で、この面と対向する素子基板２０の保護層２２の面と直接接合する。直接接合には、例えば表面活性化接合が用いられる。表面活性化接合では、それぞれの面をプラズマエッチング、ウェットエッチング、またはイオンビームエッチングによって活性化した後に、これらの面を接合する。
【００５５】
図１１Ｃは、図１１Ａに示した有機ＥＬディスプレイ１０６の代替的な構成例を示す図である。この例において、透明絶縁膜２７は、ガイド部材１１０の間に形成されるとともに、素子基板２０側に位置するガイド部材１１０の端面を覆う。従って、素子基板２０の保護層２２に対向する封止基板２３側の面は、透明絶縁膜２７によって形成される。このような構成は、例えば、ガイド部材１１０の端面が露出していると直接結合のための表面活性化が困難である場合に有効である。
【００５６】
図１２は、ガイド部材１１０が接着層２６に貫入する有機ＥＬディスプレイ１０８の例を示す図である。有機ＥＬディスプレイ１０８では、ガイド部材１１０が接着層２６を貫通せず、保護層２２には接さない。従って、素子基板２０と封止基板２３とを接合するにあたって、ガイド部材１１０の厚さとは関係なく素子基板２０と封止基板２３との間隔を設定することができる。例えば、ガイド部材１１０の厚さが均一でなかったとしても、基板間の間隔を均一に保つことができる。また、保護層２２または発光素子２１の表面がガイド部材１１０に接さないため、この面を平滑化しなくてよく、例えば凹凸がある状態のまま接着層２６を塗布してもよい。
【００５７】
図１３は、テーパ形状を有さないストレートな断面形状を有するガイド部材１１２が接着層２６に貫入する有機ＥＬディスプレイ１２０の例を示す図である。有機ＥＬディスプレイ１２０では、ガイド部材１１２が接着層２６を貫通せず、保護層２２には接さない。図から明らかなように、この変形例は、上記の図９に示した例と図１２に示した例とを組み合わせたものである。従って、効果としても、これらの例と同様の効果が得られる。
【００５８】
図１４は、断面が封止基板２３側に向かって開いたテーパ形状を有するガイド部材１１４が接着層２６に貫入する有機ＥＬディスプレイ１２２の例を示す図である。有機ＥＬディスプレイ１２２では、ガイド部材１１４が接着層２６を貫通せず、保護層２２には接さない。図から明らかなように、この変形例は、上記の図１０に示した例と図１２に示した例とを組み合わせたものである。従って、効果としても、これらの例と同様の効果が得られる。
【００５９】
以上、本実施形態の変形例について説明した。なお、上記の説明では、いずれもカラーフィルタ２４が設けられる有機ＥＬディスプレイの例について説明したが、カラーフィルタ２４は必ずしも設けられなくてもよい。上述のように、発光素子２１が画素を構成する各色で発光する場合、色純度の向上のためにカラーフィルタ２４を設ける場合もあるが、設けなくてもよい場合もある。また、カラーフィルタ２４が、画素を構成する色の一部に限って設けられる場合もある。本実施形態では、ガイド部材１１０が封止基板２３上に設けられるため、カラーフィルタ２４の有無はガイド部材１１０の構造に影響しない。
【００６０】
（３．第２の実施形態）
次に、本開示の第２の実施形態について説明する。なお、電子機器への適用については、上記の第１の実施形態と同様の構成とすることが可能であるため、重複した説明を省略する。
【００６１】
（３−１．表示装置の構成）
図１５は、本開示の第２の実施形態に係る表示装置における表示領域の断面構成の例を示す図である。本実施形態に係る表示装置は、有機ＥＬディスプレイ２００である。
【００６２】
有機ＥＬディスプレイ２００の表示領域では、素子基板２０と封止基板２３とが接着層２６を介して貼り合わされている。素子基板２０上には複数の発光素子２１が配設され、発光素子２１は保護層２２によって覆われている。一方、封止基板２３側にはカラーフィルタ２４（赤色カラーフィルタ２４Ｒ、緑色カラーフィルタ２４Ｇ、および青色カラーフィルタ２４Ｂ）が配設される。
【００６３】
さらに、各色のカラーフィルタ２４の境界部分には、ガイド部材２１０が設けられる。ガイド部材２１０は、一方ではカラーフィルタ２４の素子基板２０側の表面に当接しており、他方では接着層２６を貫通して素子基板２０上の保護層２２に当接している。つまり、ガイド部材２１０は、ちょうどカラーフィルタ２４と保護層２２との間に挟まれるような形で形成されている。ガイド部材２１０は、例えば上述したブラックマトリクス２５と同様に樹脂または金属の膜などによって形成される遮光性の部材である。
【００６４】
本実施形態におけるガイド部材２１０は、各色のカラーフィルタ２４の間には設けられない。従って、カラーフィルタ２４の部分における画素間での光の混入は、ガイド部材２１０によっては防止されない。しかしながら、保護層２２とカラーフィルタ２４との間の領域では、発光素子２１から放出された光がガイド部材２１０によって主発光方向に導光されるため、有機ＥＬディスプレイ２００の全体としては、画素間での光の混入を十分に防止することができる。また、本実施形態では、後述するようにカラーフィルタ２４がガイド部材２１０よりも先に形成されるため、カラーフィルタ２４の形成方法の自由度が高いという利点もある。
【００６５】
ここで、図示された例において、ガイド部材２１０の断面は、素子基板２０側に向かって開いたテーパ形状を有する。これによって、発光素子２１による発光をより多く集光し、封止基板２３の所定の領域（画素領域）に導光することができる。封止基板２３側でのガイド部材２１０の領域は、例えば上述のブラックマトリクス２５と同様の領域であってもよい。本実施形態でも、ガイド部材２１０は、画素領域の境界部分に設けられる遮光部材であるため、ブラックマトリクスとしても機能しうる。しかし、例えばブラックマトリクスの機能をさらに強化するために、カラーフィルタ２４の封止基板２３側に、図４の例に示したようなブラックマトリクスを別途設けてもよい。
【００６６】
（３−２．表示装置の製造方法）
図１６は、本開示の第２の実施形態に係る表示装置の第１の製造方法の各工程での表示装置の状態を示す図である。図１６を参照すると、まず封止基板２３上にカラーフィルタ２４が形成される。カラーフィルタ２４は、例えば各色のカラーレジストを封止基板２３上に塗布した後、フォトリソグラフィを利用してパターニングすることによって形成されうる。あるいは、カラーフィルタ２４は、インクジェット法によって形成されてもよい。次に、各色のカラーフィルタ２４の境界部分に、ガイド部材２１０を形成する。ガイド部材２１０は、例えば材料をカラーフィルタ２４または後述する保護層の上に塗布した後、フォトリソグラフィを利用してパターニングすることによって形成されうる。
【００６７】
ここで、ガイド部材２１０の形成の工程によってカラーフィルタ２４へのダメージが懸念される場合には、カラーフィルタ２４の表面に図示しない保護層を形成し、その上にガイド部材２１０を形成してもよい。また、各色のカラーフィルタ２４は、分光特性上、異なる厚さで形成される場合があり、また形成の工程によっても境界部分に段差が生じうる。カラーフィルタ２４の境界部分の段差が大きい場合も、カラーフィルタ２４の表面に図示しない保護層を形成し、その保護層の表面をＣＭＰで研磨するなどして平滑化した上で、ガイド部材２１０を形成してもよい。あるいは、段差のある表面にガイド部材２１０の材料を塗布した時点で、その表面をＣＭＰで研磨するなどして平滑化してもよい。保護層は、例えば無機アモルファス系の絶縁性材料（二酸化ケイ素、窒化ケイ素、窒化酸化ケイ素、炭化ケイ素、窒化炭化ケイ素など）を用いて、塗布またはＣＶＤなどの工程によって形成される。
【００６８】
次に、素子基板２０上に発光素子２１および保護層２２が形成されたものが別途用意され、２つの基板（基板上に形成された部材を含む）が接着層２６を介して接合される。このとき、カラーフィルタ２４の表面から突出したガイド部材２１０は、接着層２６を貫通し、保護層２２に当接する。その後、接着層２６を硬化させることによって、有機ＥＬディスプレイ２００が完成する。なお、図示された例では、素子基板２０側に接着層２６が塗布されているが、接着層２６は封止基板２３側に塗布されてもよい。
【００６９】
図１７は、本開示の第２の実施形態に係る表示装置の第２の製造方法の各工程での表示装置の状態を示す図である。図１７を参照すると、まず、素子基板２０上に発光素子２１および保護層２２が形成されたものの上に、ガイド部材２１０を形成する。ガイド部材２１０は、例えば材料を保護層２２上に塗布した後、フォトリソグラフィを利用してパターニングすることによって形成されうる。図１６の例と同様に、保護層２２の表面の凹凸が大きい場合には、保護層２２の表面をＣＭＰで研磨するなどして平滑化するか、ガイド部材２１０の材料を塗布した時点でその表面をＣＭＰで研磨するなどして平滑化してもよい。
【００７０】
次に、封止基板２３上に各色のカラーフィルタ２４が形成されたものが別途用意され、これらの２つの基板（基板上に形成された部材を含む）が接着層２６を介して接合される。このとき、保護層２２の表面から突出したガイド部材２１０は、接着層２６を貫通し、カラーフィルタ２４の境界部分に当接する。カラーフィルタ２４の境界部分の段差が大きい場合には、カラーフィルタ２４の表面に図示しない保護層を形成し保護層の表面を平滑化した上でガイド部材２１０を当接させることが望ましい。
【００７１】
その後、接着層２６を硬化させることによって、有機ＥＬディスプレイ２００が完成する。なお、図示された例では、封止基板２３側に接着層２６が塗布されているが、接着層２６は素子基板２０側に塗布されてもよい。
【００７２】
（３−３．変形例）
以上で説明した本開示の第２の実施形態の変形例について、図１８を参照して説明する。なお、製造方法については、上記で説明した本実施形態の構成を各変形例にも適用することが可能である。
【００７３】
図１８は、ガイド部材２１０が接着層２６に貫入する有機ＥＬディスプレイ２０２の例を示す図である。有機ＥＬディスプレイ２０２では、ガイド部材２１０が接着層２６を貫通せず、保護層２２には接さない。従って、素子基板２０と封止基板２３とを接合するにあたって、ガイド部材２１０の厚さと関係なく素子基板２０と封止基板２３との間隔を設定することができる。例えば、ガイド部材２１０の厚さが均一でなかったとしても、基板間の間隔を均一に保つことができる。また、保護層２２または発光素子２１の表面がガイド部材２１０に接さないため、この面を平滑化しなくてよく、例えば凹凸がある状態のまま接着層２６を塗布してもよい。
【００７４】
なお、図示は省略するが、本実施形態においても、上記の第１の実施形態と同様に、ガイド部材がテーパ形状を有さないストレートな断面形状を有する変形例、およびガイド部材の断面が封止基板２３側に向かって開いたテーパ形状を有する変形例が、上記の図１５の例、および図１８の例の両方について可能である。また、図１５の例については、素子基板２０と封止基板２３とが接着層２６を介さずに接合される変形例も可能である。
【００７５】
（４．第３の実施形態）
次に、本開示の第３の実施形態について説明する。なお、電子機器への適用については、上記の第１の実施形態と同様の構成とすることが可能であるため、重複した説明を省略する。
【００７６】
（４−１．表示装置の構成）
図１９は、本開示の第３の実施形態に係る表示装置における表示領域の断面構成の例を示す図である。本実施形態に係る表示装置は、有機ＥＬディスプレイ３００である。
【００７７】
有機ＥＬディスプレイ３００の表示領域では、素子基板２０と封止基板３２０とが接着層２６を介して貼り合わされている。素子基板２０上には複数の発光素子２１が配設され、発光素子２１は保護層２２によって覆われている。一方、封止基板３２０側にはカラーフィルタ２４（赤色カラーフィルタ２４Ｒ、緑色カラーフィルタ２４Ｇ、および青色カラーフィルタ２４Ｂ）が配設される。
【００７８】
さらに、各色のカラーフィルタ２４の境界部分には、ガイド部材３１０が設けられる。ガイド部材３１０は、一方ではカラーフィルタ２４を貫通して封止基板３２０に刻設された溝３２０ｇに貫入しており、他方では接着層２６を貫通して素子基板２０上の保護層２２に当接している。ガイド部材３１０は、例えば上述したブラックマトリクス２５と同様に金属または樹脂の膜などによって形成される遮光性の部材である。
【００７９】
ここで、封止基板３２０は、上記の封止基板２３と同様に、ガラスなどで形成され、表示領域に形成された積層構造を封止する基板であるが、加工によってガイド部材３１０が貫入する溝３２０ｇが刻設される点で封止基板２３とは異なる。
【００８０】
本実施形態におけるガイド部材３１０は、接着層２６から各色のカラーフィルタ２４の間を貫通して、封止基板３２０の内部にまで設けられる。従って、上記の第１の実施例のガイド部材１１０よりもさらに広い領域で、発光素子２１から放出された光を主発光方向に導光し、画素間での光の混入をさらに効果的に防止することができる。ただし、ガラスなどで形成される封止基板３２０に溝３２０ｇを刻設する工程は、必ずしも容易ではない。従って、本実施形態と、例えば上記の第１および第２の実施形態のような他の実施形態とは、得られる効果と工程の難易度とを考慮して適宜使い分けられうる。
【００８１】
ここで、図示された例において、ガイド部材３１０の断面は、素子基板２０側に向かって開いたテーパ形状を有する。これによって、発光素子２１による発光をより多く集光し、封止基板３２０の所定の領域（画素領域）に導光することができる。なお、図示された例では、ガイド部材３１０の両端部までテーパ形状が続いているが、例えば、ガイド部材３１０の断面形状は、封止基板３２０に貫入する部分でテーパ形状からストレートな矩形状に切り替わってもよい。これによって、封止基板３２０の溝３２０ｇの断面も矩形状でよくなり、溝３２０ｇの加工がいくらか容易になる。封止基板３２０側でのガイド部材３１０の領域は、例えば上述のブラックマトリクス２５と同様の領域であってもよい。ガイド部材３１０は、上記のように遮光性の部材であるため、発光を導光するとともに封止基板３２０側ではブラックマトリクスとしても機能しうる。
【００８２】
（４−２．表示装置の製造方法）
図２０は、本開示の第３の実施形態に係る表示装置の製造方法の各工程での表示装置の状態を示す図である。図２０を参照すると、まず封止基板３２０に、溝３２０ｇが刻設される。溝３２０ｇは、例えばエッチングや機械的な加工によって形成される。次に、封止基板３２０上の溝３２０ｇに対応する領域にガイド部材３１０が形成される。ガイド部材３１０は、例えば材料を封止基板３２０上に塗布した後、フォトリソグラフィを利用してパターニングすることによって形成されうる。このとき、溝３２０ｇが形成されていることにより、塗布された材料の表面に大きな段差が発生するような場合には、材料の表面をＣＭＰで研磨するなどして平滑化してもよい。
【００８３】
次に、ガイド部材３１０によって囲まれた領域（第１の実施形態と同様に、必ずしも全周が囲まれていなくてもよい。ガイド部材３１０が設けられない画素領域の境界部分には、ブラックマトリクスが設けられうる）の中に、各色のカラーフィルタ２４が形成される。カラーフィルタ２４は、例えばインクジェット法によって形成されうる。ガイド部材３１０はカラーフィルタ２４よりも厚いため、この時点ではガイド部材３１０がカラーフィルタ２４の間から突出した状態になる。
【００８４】
次に、素子基板２０上に発光素子２１および保護層２２が形成されたものが別途用意され、２つの基板（基板上に形成された部材を含む）が接着層２６を介して接合される。このとき、カラーフィルタ２４の間から突出したガイド部材３１０は、接着層２６を貫通し、保護層２２に当接する。その後、接着層２６を硬化させることによって、有機ＥＬディスプレイ３００が完成する。なお、図示された例では、素子基板２０側に接着層２６が塗布されているが、接着層２６は封止基板３２０側に塗布されてもよい。
【００８５】
（４−３．変形例）
以上で説明した本開示の第３の実施形態の変形例について、図２１を参照して説明する。なお、製造方法については、上記で説明した本実施形態の構成を各変形例にも適用することが可能である。
【００８６】
図２１は、ガイド部材３１０が接着層２６に貫入する有機ＥＬディスプレイ３０２の例を示す図である。有機ＥＬディスプレイ３０２では、ガイド部材３１０が接着層２６を貫通せず、保護層２２には接さない。従って、素子基板２０と封止基板３２０とを接合するにあたって、ガイド部材３１０の厚さと関係なく素子基板２０と封止基板３２０との間隔を設定することができる。例えば、ガイド部材３１０の厚さが均一でなかったとしても、基板間の間隔を均一に保つことができる。また、保護層２２または発光素子２１の表面がガイド部材３１０に接さないため、この面を平滑化しなくてよく、例えば凹凸がある状態のまま接着層２６を塗布してもよい。
【００８７】
なお、図示は省略するが、本実施形態においても、上記の第１の実施形態と同様に、ガイド部材がテーパ形状を有さないストレートな断面形状を有する変形例、およびガイド部材の断面が封止基板３２０側に向かって開いたテーパ形状を有する変形例が、上記の図１９の例、および図２１の例の両方について可能である。また、図１９の例については、素子基板２０と封止基板３２０とが接着層２６を介さずに接合される変形例も可能である。
【００８８】
（５．補足）
上記の実施形態の説明では、表示装置が有機ＥＬディスプレイであるものについて例として説明したが、本開示の実施形態はかかる例には限定されない。発光素子を有する表示装置であれば、例えば無機ＥＬディスプレイなど、各種の表示装置に本開示の実施形態が適用可能である。
【００８９】
また、図示していないが、ブラックマトリクスを囲うようにして、酸化ケイ素、窒化酸化ケイ素、窒化ケイ素、炭化ケイ素、酸化炭化ケイ素などで形成される絶縁膜が設けられてもよい。この絶縁膜は、例えば、ブラックマトリクスとカラーフィルタとの間に設けられてもよく、ブラックマトリクスと絶縁膜との間に設けられてもよい。
【００９０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９１】
なお、以下のような構成も本開示の技術的範囲に属する。
（１）第１の基板上に配設された複数の発光素子と、
前記各発光素子に対応する画素領域の境界部分に配置され、前記第１の基板と前記第１の基板に対向する第２の基板との間で前記各発光素子の発光を前記各発光素子の主発光方向に導光するガイド部材と
を備える表示装置。
（２）前記第２の基板上で前記画素領域に配設されるカラーフィルタをさらに備え、
前記ガイド部材は、少なくとも前記カラーフィルタと前記第１の基板との間で前記発光を導光する、前記（１）に記載の表示装置。
（３）前記ガイド部材は、前記カラーフィルタを貫通して前記第２の基板の表面に当接する、前記（２）に記載の表示装置。
（４）前記ガイド部材は、前記カラーフィルタの前記第１の基板側の表面に当接する、前記（２）に記載の表示装置。
（５）前記ガイド部材は、前記カラーフィルタを貫通して前記第２の基板に貫入する、前記（２）に記載の表示装置。
（６）前記第１の基板上に設けられる前記複数の発光素子の保護層をさらに備え、
前記ガイド部材は、前記保護層に当接する、前記（１）〜（５）のいずれか１項に記載の表示装置。
（７）前記保護層と前記第２の基板との間に介在する接着層をさらに備え、
前記ガイド部材は、前記接着層を貫通する、前記（６）に記載の表示装置。
（８）前記第１の基板上に設けられる前記複数の発光素子の保護層と、
前記保護層と前記第２の基板との間に介在する接着層とをさらに備え、
前記ガイド部材は、前記接着層に貫入する、前記（１）〜（５）のいずれか１項に記載の表示装置。
（９）前記ガイド部材の断面は、前記第１の基板側に向かって開いたテーパ形状を有する、前記（１）〜（８）のいずれか１項に記載の表示装置。
（１０）前記ガイド部材の断面は、前記第２の基板側に向かって開いたテーパ形状を有する、前記（１）〜（８）のいずれか１項に記載の表示装置。
（１１）第１の基板上に配設される複数の発光素子のそれぞれに対応する画素領域の境界部分に配置され、前記第１の基板と前記第１の基板に対向する第２の基板との間で前記各発光素子の発光を前記各発光素子の主発光方向に導光するガイド部材を、前記第１の基板上または前記第２の基板上に設置する工程と、
前記第１の基板と前記第２の基板とを接合する工程と
を含む、表示装置の製造方法。
（１２）前記第２の基板上で前記画素領域にカラーフィルタを配設する工程をさらに含む、前記（１１）に記載の表示装置の製造方法。
（１３）前記ガイド部材は前記第２の基板上に設置され、
前記ガイド部材を設置する工程は、前記カラーフィルタを配設する工程よりも前に実行される、前記（１２）に記載の表示装置の製造方法。
（１４）前記第２の基板に前記ガイド部材が貫入する溝を刻設する工程をさらに含む、前記（１３）に記載の表示装置の製造方法。
（１５）前記ガイド部材は前記第２の基板上に設置され、
前記ガイド部材を設置する工程は、前記カラーフィルタを配設する工程よりも後に実行される、前記（１２）に記載の表示装置の製造方法。
（１６）前記ガイド部材は前記第２の基板上に設置され、
前記第１の基板と前記第２の基板とを接合する工程では、前記ガイド部材が前記第１の基板上に設けられる前記複数の発光素子の保護層に当接する、前記（１１）〜（１５）のいずれか１項に記載の表示装置の製造方法。
（１７）前記第１の基板と前記第２の基板とを接合する工程では、前記第１の基板と前記第２の基板とが接着層を介して接合され、前記ガイド部材が前記接着層を貫通する、前記（１６）に記載の表示装置の製造方法。
（１８）前記第１の基板と前記第２の基板とを接合する工程では、前記第１の基板と前記第２の基板とが接着層を介して接合され、前記ガイド部材が前記接着層に部分的に貫入する、前記（１１）〜（１５）のいずれか１項に記載の表示装置の製造方法。
（１９）第１の基板上に配設された複数の発光素子と、
前記各発光素子に対応する画素領域の境界部分に配置され、前記第１の基板と前記第１の基板に対向する第２の基板との間で前記各発光素子の発光を前記各発光素子の主発光方向に導光するガイド部材と
を含む表示装置
を備える電子機器。
【符号の説明】
【００９２】
２０    素子基板
２１    発光素子
２２    保護層
２３，３２０    封止基板
２４    カラーフィルタ
２６    接着層
１００，２００，３００    有機ＥＬディスプレイ
１１０，２１０，３１０    ガイド部材
３２０ｇ    溝
１０００    電子機器
【図１】
2014127441.tif 000003
【図２】
2014127441.tif 000004
【図３】
2014127441.tif 000005
【図４】
2014127441.tif 000006
【図５】
2014127441.tif 000007
【図６】
2014127441.tif 000008
【図７】
2014127441.tif 000009
【図８】
2014127441.tif 000010
【図９】
2014127441.tif 000011
【図１０】
2014127441.tif 000012
【図１１Ａ】
2014127441.tif 000013
【図１１Ｂ】
2014127441.tif 000014
【図１１Ｃ】
2014127441.tif 000015
【図１２】
2014127441.tif 000016
【図１３】
2014127441.tif 000017
【図１４】
2014127441.tif 000018
【図１５】
2014127441.tif 000019
【図１６】
2014127441.tif 000020
【図１７】
2014127441.tif 000021
【図１８】
2014127441.tif 000022
【図１９】
2014127441.tif 000023
【図２０】
2014127441.tif 000024
【図２１】
2014127441.tif 000025